(57)【要約】      （修正有）【課題】食物を安定に狭持することができるとともに、手指で安定に握り持つことができる箸を提供する。【解決手段】箸１は、食物を挟持するための先端部２と、手指で持つための把持部３を有する一対の箸１，１であって、箸１を水平に置いた場合の箸１の先端部２は、少なくとも一対の箸１，１が相対する内側面２ｉ，２ｉが平面となるように形成されているとともに、箸１の先端部２における、箸１の長手方向ＬＤ１に対して垂直な断面の形状が、水平方向の長さＬｅ２よりも、鉛直方向の長さＬｖ２が大きい形状をなし、箸１を水平に置いた場合の箸１の把持部３における、箸１の長手方向ＬＤ１に対して垂直な断面の形状が、鉛直方向の長さＬｖ３よりも、水平方向Ｌｅ３の長さが大きい形状をなすように形成されている。【選択図】図１
0003129865.tif 000002
【実用新案登録請求の範囲】
【請求項１】
食物を挟持するための先端部と、手指で持つための把持部を有する一対の箸であって、
前記箸を水平に置いた場合の前記箸の先端部は、少なくとも一対の箸が相対する内側面が平面となるように形成されているとともに、前記箸の先端部における、箸の長手方向に対して垂直な断面の形状が、水平方向の長さよりも、鉛直方向の長さが大きい形状をなし、
前記箸を水平に置いた場合の前記箸の把持部における、箸の長手方向に対して垂直な断面の形状が、鉛直方向の長さよりも、水平方向の長さが大きい形状をなすように形成されていることを特徴とする箸。
【請求項２】
前記箸の先端部における、箸の長手方向に対して垂直な断面の形状の水平方向の長さに対する鉛直方向の長さの比が、１．１以上４．０以下である請求項１に記載の箸。
【請求項３】
前記箸の把持部における、箸の長手方向に対して垂直な断面の形状の鉛直方向の長さに対する水平方向の長さの比が、１．１以上３．０以下である請求項１又は２に記載の箸。
【請求項４】
前記箸の先端部における、箸の先端面から箸の長手方向に５ｍｍの位置の、箸の長手方向に対して垂直な断面の面積に対して、前記箸の把持部における、箸の長手方向に対して垂直な断面の面積が、２倍以上である請求項１〜３のいずれかに記載の箸。
【請求項５】
前記箸の先端部における、箸の長手方向に対して垂直な断面の形状は、略長方形状であり、前記箸の把持部における、箸の長手方向に対して垂直な断面の形状は、略楕円形状である請求項１〜４のいずれかに記載の箸。
【請求項６】
前記箸の先端部における、箸の長手方向に対して垂直な断面の形状は、略長方形状であり、前記箸の把持部における、箸の長手方向に対して垂直な断面の形状は、略長方形状である請求項１〜４のいずれかに記載の箸。
【考案の詳細な説明】
【技術分野】
【０００１】
本考案は、豆腐のように柔らかく崩れやすい食物や、豆のように小さくて狭持しにくい食物を安定に狭持することができるとともに、手指で安定に握り持つことができる箸に関する。
【背景技術】
【０００２】
一般的な箸は、食物を狭持するために、その先端部が先細りとなり、一方、手指で握り持つために、把持部及び後端部が、その先端部よりも太く形成されている。
このように一般的に使用されている箸は、先端部が細くなっているために、小さい食物等も摘むことができる。その一方で、箸の先端部が細くなっているために、日常的に箸を使用している者であっても、豆腐のように柔らかく崩れやすい食物を箸で狭持する場合は、箸を把持する力の加減によって、箸の細い先端部が食い込んで、食物が崩れてしまい、食物を狭持しにくい。また、豆のように小さく球形に近い食物を箸で狭持する場合は、箸の細い先端部が、食物の表面で滑ってしまい、食物を狭持しにくい。
【０００３】
通常、人が箸を使用する場合は、図１２に示すように、一対の箸２０ｍ，２０ｎの動かさない方の箸２０ｎの把持部２２ｎの先端部２１側を、親指の付け根部分と、小指で支えた薬指の背面で支持するとともに、箸２０ｎの把持部２２ｎの後端部２３側を人差し指から続く手の平の側面で支持し、動かす方の箸２０ｍの把持部２２ｍの先端部２１側を、親指の腹部先端部分と、中指の側面及び人指し指の腹部の３点で挟んで支持するとともに、箸２０ｍの把持部２２ｍの後端部２３側を、人差し指の側面で支持している。そして、一対の箸２０ｍ，２０ｎを把持した人が、中指及び人指し指を動かすことによって、動かさない方の箸２０ｎの先端部２１に対して、動かす方の箸２０ｍの先端部２１を開閉させて、食物を狭持している。
一対の箸２０ｍ，２０ｎで、食物を狭持する際に、動かさない方の箸２０ｎは、箸２０ｎの把持部２２ｎの先端部２１側が、薬指の背面と親指の腹部付け根部分で安定に支持されるとともに、箸２０ｎの把持部２２ｎの後端部２３側が、人差し指の側面から続く手の平の側面で安定に支持されることが望ましい。一方、動かす方の箸２０ｍは、箸２０ｍの把持部２２ｍの先端部２１側が、中指の側面と親指の腹部先端部分で安定に支持されるとともに、中指及び人差し指が動かしやすいことが望ましい。また、動かす方の箸２０ｍは、箸２０ｍの把持部２２ｍの後端部２３側が、人差し指の側面で安定に支持されることが望ましい。
【０００４】
一般的に使用されている箸は、箸の長手方向に対して垂直な断面の形状が、その箸の先端部から後端部に至るまで、略同一の形状（略正方形状や、略円形状）に形成されている。
このように一般的な箸は、図１２に示すように、箸２０ｍ，２０ｎの把持部２２ｍ，２２ｎにおける、箸の長手方向に対して垂直な断面の形状が、略正方形状や、略円形状に形成されているため、一対の箸２０ｍ，２０ｎの把持部２２ｍ，２２ｎの後端部２３側が、人差し指の側面及び手の平の側面と接触する部分が小さく、人差し指の側面及び手の平の側面で安定に支持されず、特に、箸を使い慣れない幼児や外国人等は、食物を狭持しにくかった。
【０００５】
一般的に使用されている箸の不都合な点を解消するために、例えば、特許文献１には、図１３に示すように、柔らかい食物等を狭持し易くするために、箸２４の先端部に、長方形に近い楕円形の平坦な面を有する拡張把持部２５が形成された箸２４が開示されている。なお、図１３中、（ａ）は箸２４の平面図であり、（ｂ）は（ａ）の箸２４のXIII−XIII線の断面図である。
また、例えば、特許文献２には、図１４に示すように、安定して箸を持つことができるようにするために、箸２６の長手方向ＬＤ２６に対して垂直な断面が、略６角形状となるように形成した箸２６が開示されている。図１４中、（ａ）は箸２６の斜視図であり、（ｂ）は（ａ）の箸２６のXIV−XIV線の拡大断面図である。図１４（ｂ）に示すように、箸２６は、箸２６の長手方向ＬＤ２６に対して垂直な断面の形状が、該断面の中心から箸２６を略６０度に６等分し、該６等分した箸２６の外周側面の各々を、交互に平面状の側面２６ａと曲面状の側面２６ｂとなる略６角形状に形成されている。
【特許文献１】特開２００５−１１１２６２号公報
【特許文献２】実用新案登録第３１０９６７６号公報
【考案の開示】
【考案が解決しようとする課題】
【０００６】
しかし、特許文献１の箸２４のように、食物を狭持する先端部に拡張把持部２４が設けられていると、拡張把持部２５によって箸２４の先端部に段差部分ができ、食物を狭持する時に、この段差部分に他の食物（特に、野菜等）が引っかかったり、箸２４を口腔中に入れた時に、通常の箸の先端部と形の異なる拡張把持部２５に違和感を覚える等の問題があった。
また、特許文献２の箸２６は、食物を狭持し易くする問題については解消されていなかった。
そこで、本考案は、豆腐のように柔らかく崩れやすい食物や、豆のように小さく狭持しにくい食物を安定に狭持することができるとともに、手指で安定に握り持つことができる箸を提供することを目的とする。
【課題を解決するための手段】
【０００７】
本考案者は、上記課題を解決するために鋭意検討した結果、箸の先端部において、一対の箸が相対する内側面を平面にするとともに、前記箸の先端部の形状を、前記箸の内側面の面積が大きくなるような形状に形成し、一方、箸の把持部は、前記内側面に直交する面（箸を水平に置いた場合の上下面）の面積を大きくするような形状に形成することによって、箸の先端部では、食物を安定に狭持することができ、一方、箸の把持部では、手指で安定に握り持つことができるようになることを見出し、本考案を完成した。
すなわち、本考案は、以下の［１］〜［６］を提供するものである。
【０００８】
［１］  食物を挟持するための先端部と、手指で持つための把持部を有する一対の箸であって、
前記箸を水平に置いた場合の前記箸の先端部は、少なくとも一対の箸が相対する内側面が平面となるように形成されているとともに、前記箸の先端部における、箸の長手方向に対して垂直な断面の形状が、水平方向の長さよりも、鉛直方向の長さが大きい形状をなし、
前記箸を水平に置いた場合の前記箸の把持部における、箸の長手方向に対して垂直な断面の形状が、鉛直方向の長さよりも、水平方向の長さが大きい形状をなすように形成されていることを特徴とする箸。
［２］  前記箸の先端部における、箸の長手方向に対して垂直な断面の形状の水平方向の長さに対する鉛直方向の長さの比が、１．１以上４．０以下である前記［１］に記載の箸。
［３］  前記箸の把持部における、箸の長手方向に対して垂直な断面の形状の鉛直方向の長さに対する水平方向の長さの比が、１．１以上３．０以下である前記［１］又は［２］に記載の箸。
［４］  前記箸の先端部における、箸の先端縁から箸の長手方向に５ｍｍの位置の、箸の長手方向に対して垂直な断面の面積に対して、前記箸の把持部における、箸の長手方向に対して垂直な断面の面積が、２倍以上である前記［１］〜［３］のいずれかに記載の箸。
［５］  前記箸の先端部における、箸の長手方向に対して垂直な断面の形状は、略長方形状であり、前記箸の把持部における、箸の長手方向に対して垂直な断面の形状は、略楕円形状である前記［１］〜［４］のいずれかに記載の箸。
［６］  前記箸の先端部における、箸の長手方向に対して垂直な断面の形状は、略長方形状であり、前記箸の把持部における、箸の長手方向に対して垂直な断面の形状は、略長方形状である前記［１］〜［４］のいずれかに記載の箸。
【考案の効果】
【０００９】
本考案の箸は、箸を水平に置いた場合に、その先端部において、少なくとも一対の箸が相対する内側面を平面とし、かつ、該先端部における、箸の長手方向に対して垂直な断面の形状を、水平方向の長さよりも、鉛直方向の長さが大きくなる縦長の形状に形成しているので、箸の先端部における、一対の箸の内外面が、該内外面と直交する両面（箸を水平に置いた場合の上下面）よりも大きくなる。
このように、本考案の箸は、食物を狭持するための一対の箸が相対する内側面が大きくなるので、豆腐のように柔らかく崩れやすい食物や、豆のように球形で滑りやすい食物も、安定に確実に狭持することができる。
【００１０】
本考案の箸は、箸を水平に置いた場合に、その把持部における、箸の長手方向に対して垂直な断面の形状を、鉛直方向の長さよりも、水平方向の長さが大きくなる横長の形状に形成しているので、箸を水平に置いた場合の上下側部が大きくなり、この上下側部に直交する、一対の箸の内外側部は小さくなる。このため、本考案の箸は、箸の把持部の後端部側において、人差し指の側面及び人差し指から続く手の平の側面と、箸の把持部の下側部が接触する部分が大きくなり、箸の把持部の後端部側が、人差し指の側面及び手の平の側面で安定に支持される。
また、本考案の箸は、箸の把持部の先端部側において、食物を狭持する際に、動かさない方の箸については、箸の把持部の面積の大きい上側部及び下側部が、薬指の側面及び親指の腹部付け根部分に接触するので、薬指の側面及び親指の腹部付け根部分で安定に支持される。一方、動かす方の箸については、箸の把持部の面積の大きい上側部及び下側部が、親指の腹部先端部分及び中指の側面に接触するので、親指の腹部先端部分及び中指の側面で、安定に支持されるとともに、箸の把持部の面積の小さい外側部が、中指の側面と人差し指の腹部で挟む部分に接触するので、中指と人差し指が動かしやすくなり、箸の操作性がよい。
このように、本考案の箸は、手指で安定に握り持つことができるとともに、操作性もよく、使いやすい。
【考案を実施するための最良の形態】
【００１１】
本考案の箸の実施形態を図面に基づき説明する。図１は、本考案の箸の実施形態の一例を示す斜視図である。図２中、（ａ）は一対の箸１，１の正面図、（ｂ）は（ａ）の右側面図、（ｃ）は箸１，１の先端面２ａ，２ａを表す底面図、（ｄ）は箸１，１の後端面５ａ，５ａを表す平面図である。なお、箸の背面図は、図２（ａ）の正面図と一致し、箸の左側面図は、図２（ｂ）の右側面図と一致する。
また、図３は、箸１の先端部２における、箸１の長手方向ＬＤ１に対して垂直な断面２ｃｓを表し、図１のIII−III線拡大断面図である。図４は、箸１の長手方向ＬＤ１の中間領域４における、箸１の長手方向ＬＤ１に対して垂直な断面４ｃｓを表し、図１のIV−IV線拡大断面図である。図５は、箸１の把持部３における、箸１の長手方向ＬＤ１に対して垂直な断面３ｃｓを表し、図１のV−V線拡大断面図である。
【００１２】
図１及び図２に示すように、本実施の形態において、箸１は、食物を挟むための先端部２が先細りとなり、手指で箸を握り持つための把持部３及び後端部５が、その先端部２よりも太くなっている。
本考案の箸１は、箸１を水平に置いた場合に、箸１の先端部２において、一対の箸１，１が相対する内側面２ｉ，２ｉが平面となるように形成されている。
【００１３】
また、図３に示すように、箸１は、箸１を水平においた場合に、箸１の先端部２における、箸１の長手方向に対して垂直な断面２ｃｓの形状が、水平方向の長さＬｅ２よりも、鉛直方向の長さＬｖ２が大きい縦長の長方形状に形成されている。一方、図５に示すように、箸１は、箸１を水平に置いた場合に、箸１の把持部３における、箸１の長手方向に対して垂直な断面３ｃｓの形状が、鉛直方向の長さＬｖ３よりも、水平方向の長さＬｅ３が大きい横長の楕円形状に形成されている。
すなわち、箸１は、その先端部２における、箸１の長手方向ＬＤ１に対して垂直な断面２ｃｓの形状の長手方向（箸１を水平においた場合の鉛直方向（Ｌｖ２））と、その把持部３における、箸１の長手方向ＬＤ１に対して垂直な断面３ｃｓの形状の長手方向（箸１を水平においた場合の水平方向（Ｌｅ３））が直交するような形状に形成されている。
なお、図４に示すように、箸１は、箸１を水平に置いた場合に、箸１の長手方向ＬＤ１の中間領域４における、箸１の長手方向ＬＤ１に対して垂直な断面４ｃｓが、箸１を水平においた場合の鉛直方向の長さＬｖ４と、水平方向の長さＬｅ４が同程度の長さである略正方形状に形成されている。
また、箸１は、その先端部２から把持部３及び後端部５にかけて、箸１の長手方向の側面が、滑らかなテーパ状となるように形成されている。
【００１４】
図６は、本考案の箸１の使用例を説明する図である。
図６に示すように、本考案の箸１は、箸１を水平に置いた場合に、箸１の先端部２の、一対の箸１，１が相対する内側面２ｉ，２ｉが平面に形成されているとともに、その先端部２における、箸１の長手方向ＬＤ１に対して垂直な断面の形状が、水平方向の長さＬｅ２よりも、鉛直方向の長さＬｖ２が大きい縦長の長方形状に形成されている。このため、本考案の箸１は、その先端部２における、箸１の内側面２ｉ及び外側面２ｏが、該内側面２ｉ及び外側面２ｏと直交する両面（箸１を水平に置いた場合の上面２ｔ及び下面２ｕ）よりも大きくなる。
このように、本考案の箸１は、箸１の先端部２における、食物を狭持するための箸１の内側面２ｉが、従来の箸（箸の長手方向に対して垂直な断面の形状が、箸の先端部から後端部まで略同一の箸）よりも大きく形成されているため、豆腐のように柔らかく崩れやすい食物や、豆のように球形で滑りやすい食物も、安定に確実に狭持することができる。
【００１５】
また、図６に示すように、通常、箸１は、一対の箸１，１の動かさない方の箸１の把持部３の先端部２側が、親指の付け根部分と、小指で支えた薬指の背面で支持されるとともに、動かさない方の箸１の把持部３の後端部５側が、人差し指から続く手の平の側面で支持される。一方、動かす方の箸１の把持部３の先端部２側が、親指の腹部先端と、中指の側面及び人指し指の腹部の３点で挟んで支持されるとともに、動かす方の箸１の把持部３の後端部５側が、人差し指の側面と、この人差し指の側面から続く手の平の側面で支持される。
本考案の箸１は、その把持部３における、箸１の長手方向ＬＤ１に対して垂直な断面の形状が、箸１を水平に置いた場合の鉛直方向の長さＬｖ３よりも、水平方向の長さＬｅ３が大きい横長の楕円形状に形成されているため、箸１の把持部３における、箸１を水平に置いた場合の上側部３ｔ及び下側部３ｕが大きくなる。このため、箸１の把持部３（主に把持部３の下側部３ｕ）と、人差し指の側面及び人差し指の側面から続く手の平の側面との接触部分が大きくなり、一対の箸１，１の把持部３の後端部５側が、人差し指の側面及び手の平の側面で安定に支持される。
また、食物を狭持する際に動かさない方の箸１については、箸１の把持部３の先端部２側において、箸１の把持部３の面積の大きい上側部３ｔ及び下側部３ｕが、薬指の側面及び親指の腹部付け根部分に接触するので、薬指の側面及び親指の腹部付け根部分で安定に支持される。一方、食物を狭持する際に動かす方の箸１については、箸１の把持部３の先端部２側において、箸１の把持部３の面積の大きい上側部３ｔ及び下側部３ｕが、親指の腹部先端部分及び中指の側面に接触するので、親指の腹部先端部分及び中指の側面で、安定に支持されるとともに、箸１の把持部３の面積の小さい外側部３ｏが、中指の側面と人差し指の腹部で挟む部分に接触するので、中指と人差し指を動かしやすくなり、箸の操作性がよくなる。
【００１６】
図１，２及び図５，６に示すように、箸１の把持部３における、箸１の長手方向ＬＤ１に対して垂直な断面３ｃｓの形状が、横長の楕円形状であると、手指に接触する部分がすべて緩やかな円弧状となっているため、手指で握り持った時に感触が柔らかく、持ちやすいという利点がある。
また、本考案の箸１のように、箸１の先端部２から把持部３及び後端部５に至るまでの箸１の長手方向の側面が、滑らかに傾斜するテーパ面となるように形成されていると、箸１が手になじみ易く、柔らかい感触で、精神的にも安定した状態で箸１を握り持つことができる。
【００１７】
本考案の箸は、竹、柳、杉等の天然木や、金属、エポキシ樹脂、メラミン樹脂、シリコン樹脂等の合成樹脂によって形成することができる。本考案の箸は、手に持った感触が柔らかい天然木製であることが好ましい。特に、紫檀や、黒檀、タガヤサン等の高級天然木から形成された箸は、先端部が細くても曲がることがなく、手になじみやすく、持ちやすいという優れた利点がある。
【００１８】
本考案の箸において、その大きさは、箸を使用する者（男性や女性、大人や子供等）や、使用する用途等によって異なり、特に限定されるものではないが、一般的には、箸の先端部から後端部までの長さが２０〜２４ｃｍである。
【００１９】
箸１の先端部２における、箸１の長手方向ＬＤ１に対して垂直な断面の形状の水平方向の長さＬｅ２に対する鉛直方向の長さＬｖ２の比（Ｌｖ２／Ｌｅ２）は、好ましくは１．１以上４．０以下であり、より好ましくは１．３以上３．２以下であり、さらに好ましくは１．５以上２．５以下である。
箸１の先端部２における、箸１を水平に置いた場合の鉛直方向の長さＬｖ２が
２．０〜８．０ｍｍであり、水平方向の長さＬｅ２が１．５〜７．０ｍｍであることが好ましい。
また、箸１の先端縁を構成する箸１の先端面２ａは、箸１を水平に置いた場合の鉛直方向の長さＬｖ２ａが２．５〜４．０ｍｍであり、水平方向の長さＬｅ２ａが１．０〜２．０ｍｍであることが好ましい。
なお、本考案の箸１の先端部２における、箸１の先端縁から箸１の長手方向に５ｍｍの位置の、箸１の長手方向に対して垂直な断面の、箸１を水平に置いた場合の鉛直方向の長さ及び水平方向の長さは、前記箸１の先端面２ａにおける、鉛直方向の長さＬｖ２ａ及び水平方向の長さＬｅ２ａとほぼ同一である。
【００２０】
箸１の把持部３における、箸１の長手方向ＬＤ１に対して垂直な断面の形状の鉛直方向の長さＬｖ３に対する水平方向の長さＬｅ３の比（Ｌｅ３／Ｌｖ３）は、好ましくは１．１以上３．０以下であり、より好ましくは１．２以上２．５以下であり、さらに好ましくは１．３以上２．０以下である。
箸１の把持部３における、箸１を水平に置いた場合の鉛直方向の長さＬｖ３が
４．５〜８．０ｍｍであり、水平方向の長さＬｅ３が５．０〜１４．０ｍｍであることが好ましい。
また、箸１の後端縁を構成する箸１の後端面５ａにおける、箸１を水平に置いた場合の鉛直方向の長さＬｖ５ａが５．０〜８．０ｍｍであり、水平方向の長さＬｅ５ａが６．０〜１２．０ｍｍであることが好ましい。
【００２１】
また、箸１の先端部２における、箸１の先端縁（先端面２ａ）から箸１の長手方向ＬＤ１に５ｍｍの位置の、箸１の長手方向ＬＤ１に対して垂直な断面２ｃｓの面積に対して、箸１の把持部３における、箸１の長手方向ＬＤ１に対して垂直な断面３ｃｓの面積は、好ましくは２倍以上、より好ましくは２．５倍以上、特に好ましくは３倍以上である。
このように、箸の使用時に、頻繁に食物を狭持する部分である、箸の先端縁（先端面２ａ）から箸の長手方向に５ｍｍの位置の、箸の長手方向に対して垂直な断面２ｃｓの面積に対して、箸１の把持部３における、箸１の長手方向ＬＤ１に対して垂直な断面３ｃｓの面積が２倍以上となるように形成されていると、箸１の先端部２よりも把持部３が太くなるので、手指で箸１を持ちやすい。
【００２２】
本明細書において、箸１の先端部２とは、箸１の先端縁（先端面２ａ）から長手方向に５ｃｍ以内の領域をいう。食物を狭持する部分は、使用する箸の長さや用途によって異なるが、一般的に、箸の先端縁（先端面）から箸の長手方向に５ｃｍ以内の領域が、食物を狭持しやすい。
また、箸１の把持部３とは、箸１を把持した場合に、手指が接触する領域をいう。箸を把持した場合に、手指が接触する領域は、使用する箸の長さや用途等、または、箸を使用する者の持ち方や手指の大きさ等によって異なるが、一般的に、箸を把持した場合に、手指が接触する領域は、箸の後端縁（後端面）から箸の長手方向に３〜１５ｃｍの領域である。
なお、箸１の中間領域４とは、本明細書において、箸１の先端部２と把持部３との間の部分をいう。
【００２３】
次に、本考案の箸の他の実施形態を図面に基づき説明する。図７は、本考案の箸の実施形態の他の例を示す斜視図である。図８中、（ａ）は一対の箸１０，１０の正面図、（ｂ）は箸１０，１０の右側面図、（ｃ）は箸１０，１０の先端面１１ａ，１１ａを表す底面図、（ｄ）は箸１０，１０の後端面１３ａ，１３ａを表す平面図である。なお、箸の背面図は図８（ａ）の正面図と一致し、箸の左側面図は、図８（ｂ）の右側面図と一致する。
また、図９は、箸１０の先端部１１における、箸１０の長手方向ＬＤ１０に対して垂直な断面１１ｃｓを表し、図７のIX−IX線拡大断面図である。図１０は、箸１０の中間領域１４における、箸１０の長手方向ＬＤ１０に対して垂直な断面１４ｃｓを表し、図７のX−X線拡大断面図である。図１１は、箸１０の把持部１２における、箸１０の長手方向ＬＤ１０に対して垂直な断面１２ｃｓを表し、図７のXI−XI線拡大断面図である。
【００２４】
図７及び図８に示すように、本実施の形態における箸１０は、食物を挟むための先端部１１が先細りとなり、手指で箸を握り持つための把持部１２及び後端部１３が先端部１１よりも太くなっている。
本考案の箸１０は、箸１０を水平に置いた場合に、箸１０の先端部１１において、一対の箸１０，１０が相対する内側面１１ｉ，１１ｉが平面となるように形成されている。
【００２５】
また、図９に示すように、箸１０は、その先端部１１における、箸１０の長手方向ＬＤ１０に対して垂直な断面１１ｃｓの形状が、箸１０を水平に置いた場合の水平方向の長さＬｅ１１よりも、鉛直方向の長さＬｖ１１が大きい縦長の長方形状に形成されている。一方、図１１に示すように、箸１０は、その把持部１２における、箸１０の長手方向ＬＤ１０に対して垂直な断面１２ｃｓの形状が、箸１０を水平においた場合の鉛直方向の長さＬｖ１２よりも、水平方向の長さＬｅ１２が大きい横長の略長方形状に形成されている。
すなわち、箸１０は、その先端部１１における、箸１０の長手方向ＬＤ１０に対して垂直な断面１１ｃｓの形状の長手方向（箸１０を水平においた場合の鉛直方向（Ｌｖ１１））と、その把持部１２における、箸１０の長手方向ＬＤ１０に対して垂直な断面１２ｃｓの形状の長手方向（箸１０を水平においた場合の水平方向（Ｌｅ１２））が直交するような形状に形成されている。
なお、図１０に示すように、箸１０は、箸１０を水平に置いた場合に、箸１０の長手方向ＬＤ１０の中間領域１４における、箸１０の長手方向ＬＤ１０に対して垂直な断面１４ｃｓは、箸１０を水平においた場合の鉛直方向の長さＬｖ１４と、水平方向の長さＬｅ１４が同程度の長さである略正方形状に形成されている。
また、箸１０は、その先端部１１から把持部１２及び後端部１３にかけて、箸１０の長手方向ＬＤ１０の側面が、滑らかなテーパ状となるように形成されている。
【００２６】
図７〜９に示すように、本考案の箸１０は、箸１０を水平に置いた場合に、箸１０の先端部１１の、一対の箸１０，１０が相対する内側面１１ｉ，１１ｉが平面に形成されているとともに、その先端部１１における、箸１０の長手方向ＬＤ１０に対して垂直な断面１１ｃｓの形状が、箸１０を水平に置いた場合の水平方向の長さＬｅ１１よりも、鉛直方向の長さＬｖ１１が大きい縦長の長方形状に形成されている。このため、本考案の箸１０は、箸１０の先端部１１における、箸１０の内側面１１ｉ及び外側面１１ｏが、該内側面１１ｉ及び外側面１１ｏと直交する両面（箸１０を水平に置いた場合の上面１１ｔ及び下面１１ｕ）よりも大きくなる。
このように、本考案の箸１０は、箸１０の先端部１１における、食物を狭持するための箸１０の内側面１１ｉが、従来の箸（箸の長手方向に対して垂直な断面の形状が、箸の先端部から後端部まで略同一の箸）よりも大きく形成されているため、豆腐のように柔らかく崩れやすい食物や、豆のように球形で滑りやすい食物も、安定に確実に狭持することができる。
【００２７】
また、図７，８及び図１１に示すように、本考案の箸１０は、その把持部１２における、箸１０の長手方向ＬＤ１０に対して垂直な断面１２ｃｓの形状が、箸１０を水平に置いた場合の鉛直方向の長さＬｖ１２よりも、水平方向の長さＬｅ１２が大きい横長の略長方形状に形成されているため、箸１０の把持部１２における、箸１０を水平に置いた場合の上側部１２ｔ及び下側部１２ｕが大きくなる。
このため、箸１０の把持部１２（主に把持部１２の下側部１２ｕ）と、人差し指の側面及び人差し指の側面から続く手の平の側面との接触部分が大きくなり、箸１０の把持部１２の後端部１３側が、人差し指の側面及び手の平の側面で安定に支持される。
また、食物を狭持する際に動かさない方の箸１０については、箸１０の把持部１２の先端部１１側において、箸１０の把持部１２の面積の大きい上側部１２ｔ及び下側部１２ｕが、薬指の側面及び親指の腹部付け根部分に接触するので、薬指の側面及び親指の腹部付け根部分で安定に支持される。一方、食物を狭持する際に動かす方の箸１０については、箸１０の把持部１２の先端部１１側において、箸１０の把持部１２の面積の大きい上側部１２ｔ及び下側部１２ｕが、親指の腹部先端部分及び中指の側面に接触するので、親指の腹部先端部分及び中指の側面で、安定に支持されるとともに、箸１０把持部１２の面積の小さい外側部１２ｏが、中指の側面と人差し指の腹部で挟む部分に接触するので、中指及び人差し指を動かしやすく、箸の操作性がよくなる。
なお、箸１０の把持部１２から後端部１３にかけては、柔らかい感触で持つことができ、手になじみやすいように、箸１０の把持部１２及び後端部１３における、箸１０を水平に置いた場合の上側部１２ｔ，１３ｔ及び下側部１２ｕ,１３ｕは平面ではなく、外周方向に膨出する円弧状の曲面に形成されていることが望ましい（図８（ｄ）及び図１１参照。）。
【図面の簡単な説明】
【００２８】
【図１】本考案の箸の実施形態の一例を示す斜視図である。
【図２】（ａ）は箸の正面図、（ｂ）は箸の右側面図、（ｃ）は箸の先端面を表す平面図、（ｄ）は箸の後端面を表す底面図である。
【図３】図１のIII−III線拡大断面図である。
【図４】図１のIV−IV線拡大断面図である。
【図５】図１のV−V線拡大断面図である。
【図６】本考案の箸の使用例を説明する図である。
【図７】本考案の箸の実施形態の他の例を示す斜視図である。
【図８】（ａ）は箸の正面図、（ｂ）は箸の右側面図、（ｃ）は箸の先端面を表す平面図、（ｄ）は箸の後端面を表す底面図である。
【図９】図７のIX−IX線拡大断面図である。
【図１０】図７のX−X線拡大断面図である。
【図１１】図７のXI−XI線拡大断面図である。
【図１２】従来の箸の使用例を説明する図である。
【図１３】従来の箸の一例を示し、（ａ）は箸の正面図、（ｂ）は（ａ）のXIII−XIII線断面図である。
【図１４】従来の箸の他の例を示し、（ａ）は箸の斜視図、（ｂ）は（ａ）のXIV−XIV線拡大断面図である。
【符号の説明】
【００２９】
１        箸
２        先端部
２ａ      先端面
２ｉ      内側面
２ｏ      外側面
２ｔ      上面
２ｕ      下面
２ｃｓ    先端部における、箸の長手方向に対して垂直な断面
３        把持部
３ｔ      上側部
３ｕ      下側部
３ｏ      外側部
３ｃｓ    把持部における、箸の長手方向に対して垂直な断面
４        中間領域
４ｃｓ    中間領域における、箸の長手方向に対して垂直な断面
５        後端部
５ａ      後端面
１０      箸
１１      先端部
１１ａ    先端面
１１ｉ    内側面
１１ｏ    外側面
１１ｔ    上面
１１ｕ    下面
１１ｃｓ  先端部における、箸の長手方向に対して垂直な断面
１２      把持部
１２ｔ    上側部
１２ｕ    下側部
１２ｏ    外側部
１２ｃｓ  把持部における、箸の長手方向に対して垂直な断面
１３      後端部
１３ａ    後端面
１３ｔ    上側部
１３ｕ    下側部
１４      中間領域
１４ｃｓ  中間領域における、箸の長手方向に対して垂直な断面
２０ｍ    一対の箸の動かす方の箸
２０ｎ    一対の箸の動かさない方の箸
２１      先端部
２２ｍ    動かす方の箸の把持部
２２ｎ    動かさない方の箸の把持部
２３      後端部
２４      箸
２５      拡張把持部
２６      箸
２６ａ    平面状の側面
２６ｂ    曲面状の側面
ＬＤ１，ＬＤ１０，ＬＤ２６  箸の長手方向
Ｌｅ２〜５ａ，Ｌｅ１１〜１４  箸を水平に置いた場合の水平方向の長さ
Ｌｖ２〜５ａ，Ｌｖ１１〜１４  箸を水平に置いた場合の鉛直方向の長さ
【図１】
0003129865.tif 000003
【図２】
0003129865.tif 000004
【図３】
0003129865.tif 000005
【図４】
0003129865.tif 000006
【図５】
0003129865.tif 000007
【図６】
0003129865.tif 000008
【図７】
0003129865.tif 000009
【図８】
0003129865.tif 000010
【図９】
0003129865.tif 000011
【図１０】
0003129865.tif 000012
【図１１】
0003129865.tif 000013
【図１２】
0003129865.tif 000014
【図１３】
0003129865.tif 000015
【図１４】
0003129865.tif 000016